(57)【特許請求の範囲】
【請求項１】
止水蓋としての養生蓋を用いてスラブに設けられた貫通孔を養生する養生方法であって、
前記スラブにおける前記貫通孔の軸周りにシール部を設け、
前記シール部を固定部材と前記スラブとの間に介在させて前記固定部材を前記スラブに固定し、
前記貫通孔を露出させる開口部と、板部材である天板を含み前記開口部を覆うと共に前記開口部を開閉可能に設けられた天蓋部とを有する蓋部を、前記貫通孔を覆うように前記固定部材に対して脱着可能に取り付け、
前記貫通孔は、屋上階の前記スラブの下方に延びる既存梁又は既存柱に設けられて前記スラブの上方に新設される構造物を支持する束柱を通すために前記スラブに設けられる貫通孔であり、
前記天蓋部は、前記束柱が設けられるまでの間、前記貫通孔を露出させた状態で前記開口部を介して作業を行うために開かれ、又は、前記束柱が設けられるまでの間、前記開口部を塞いだ状態で養生するために閉じられ、
前記貫通孔は、前記束柱が設けられた後、前記スラブと一体となるようにコンクリートが打設されて塞がれ、
前記養生蓋は、前記貫通孔が塞がれた後、前記固定部材から前記蓋部を取り外して前記スラブから前記固定部材を取り外して前記シール部を前記スラブから取り外す順で解体されて撤去される、養生方法。
【発明の詳細な説明】
【技術分野】
【０００１】
本発明は、養生蓋の構造及び養生方法に関する。
【背景技術】
【０００２】
従来、養生蓋に関する技術として、特許文献１に記載された蓋が知られている。特許文献１に記載された蓋は、スラブの上面側において、スラブに設けられた貫通孔の周囲を囲んだ状態で、スラブの上面に設置される環状のシール部材と、シール部材に載せてシール部材をスラブの上面に密着させた状態で貫通孔の上方を閉塞する蓋部材と、を備える。
【先行技術文献】
【特許文献】
【０００３】
【特許文献１】特開２００５−４８５２０号公報
【発明の概要】
【発明が解決しようとする課題】
【０００４】
上述した従来技術では、蓋部材とシール部材とが直接接している。そのため、例えばスラブに設けられた貫通孔における作業の際に貫通孔を露出させるために蓋部材を脱着すると、シール部材とスラブ上面との密着性が低下して、水密性が低下することがある。この場合、蓋部材を取り付ける際、新たなシール部材の設置（シール部の再施工）をする手間が増加してしまう。
【０００５】
本発明は、水密性の低下を抑制し、シール部の再施工を不要とする養生蓋の構造及び養生方法を提供することを目的とする。
【課題を解決するための手段】
【０００６】
本発明に係る養生蓋の構造は、スラブに設けられた貫通孔を養生するための養生蓋の構造であって、スラブにおける貫通孔の軸周りに固定された固定部材と、スラブと固定部材との間に介在するシール部と、固定部材に対して脱着可能に取り付けられ、貫通孔を覆う蓋部と、を備える。
【０００７】
この養生蓋の構造では、シール部がスラブと固定部材との間に介在するため、水等がスラブと固定部材との間を通って貫通孔に浸入することが抑制される。そして、蓋部が固定部材に対して脱着可能に取り付けられているため、貫通孔を露出させるためには、蓋部を固定部材から取り外せばよく、固定部材をスラブから取り外す必要がない。よって、シール部とスラブ上面との密着性が低下することを回避できる。その結果、水密性の低下を抑制し、シール部の再施工を不要とすることが可能となる。
【０００８】
蓋部は、下端側において固定部材から所定高さで立設され、上端側の辺縁が開口部を形成する側壁部と、開口部を覆うように設けられた天蓋部と、を有し、側壁部は、固定部材に対して脱着可能に取り付けられ、天蓋部は、側壁部の上端側において開口部を開閉可能に設けられていてもよい。この場合、例えば貫通孔における作業の際、天蓋部を開くことで開口部を介して容易に作業を行うことができる。
【０００９】
側壁部の上端側には、ヒンジ部及び第１係止部が設けられており、天蓋部は、ヒンジ部及び第１係止部によって開口部を開閉可能に設けられていてもよい。この場合、第１係止部の係止を外すことでヒンジ部を支点として天蓋部を容易に開閉することができる。また、第１係止部を係止させることで天蓋部が強風等により開いてしまうことを抑制できる。
【００１０】
固定部材には、第２係止部が設けられており、蓋部は、第２係止部によって固定部材に対して脱着可能に取り付けられていてもよい。この場合、第２係止部を係止させることで蓋部を固定部材に容易に取り付けることができる。また、第２係止部の係止を外すことで蓋部を固定部材から容易に取り外すことができる。
【００１１】
固定部材には、蓋部が載置される載置部が設けられており、蓋部は、載置部に載置された状態で第２係止部によって固定部材に対して取り付けられてもよい。この場合、蓋部が載置部に載置された状態において蓋部の重量が載置部によって支持される。よって、蓋部を固定部材に対して脱着する作業が一層容易となる。
【００１２】
蓋部は、窓部を含んでもよい。この場合、例えば養生蓋の内部状況を確認する際、蓋部を固定部材から取り外す手間を省くことができる。
【００１３】
本発明に係る養生方法は、スラブに設けられた貫通孔を養生する養生方法であって、スラブに設けられた貫通孔の軸周りにシール部を設け、シール部を固定部材とスラブとの間に介在させて固定部材をスラブに固定し、貫通孔を覆うように固定部材に対して脱着可能に蓋部を取り付ける。
【００１４】
この養生方法によれば、シール部をスラブと固定部材との間に介在させ、蓋部を固定部材に対して脱着可能に取り付ける。よって、例えば貫通孔における作業の際、貫通孔を露出させるためには、蓋部を固定部材から取り外せばよく、固定部材をスラブから取り外す必要がない。よって、シール部とスラブ上面との密着性が低下することを回避できる。その結果、水密性の低下を抑制し、シール部の再施工を不要とすることが可能となる。
【発明の効果】
【００１５】
本発明によれば、水密性の低下を抑制する養生蓋の構造及び養生方法を提供することができる。
【図面の簡単な説明】
【００１６】
【図１】実施形態に係る養生蓋を配置した屋上階の平面図である。
【図２】実施形態に係る養生蓋を配置した屋上階の一部断面図である。
【図３】実施形態に係る養生蓋を示す斜視図である。
【図４】図３におけるIV-IV線に沿った断面図である。
【図５】（ａ）は、図３におけるVa-Va線に沿った断面図である。（ｂ）は、図３におけるVb-Vb線に沿った断面図である。
【発明を実施するための形態】
【００１７】
以下、本発明の好適な実施形態について、図面を参照しつつ詳細に説明する。なお、以下の説明において、同一又は相当要素には同一符号を付し、重複する説明を省略する。以下では、本発明に係る養生蓋の構造を有する養生蓋１を例に説明する。以下の説明では、各図に示されるように、Ｚ軸を鉛直軸とし、ＸＹ平面を水平面とするＸＹＺ直交座標系を設定し、各部の位置関係の説明にＸ，Ｙ及びＺを用いる場合がある。
【００１８】
図１は、実施形態に係る養生蓋を配置した屋上階の平面図である。図２は、実施形態に係る養生蓋を配置した屋上階の一部断面図である。図１及び図２に示されるように、実施形態に係る養生蓋の構造を有する養生蓋１は、屋上スラブ（スラブ）２に設けられたスラブ開口（貫通孔）３を養生するための止水蓋である。養生蓋１は、建築物Ｂの屋上における工事の際に屋上スラブ２にスラブ開口３を設けた場合、雨水の建屋内への直接的な浸入を止めるため、スラブ開口３に設置して用いられる。スラブ開口３は、例えば屋上階の上方に構造物を新設する際、束柱４を通すための孔である。スラブ開口３は、屋上スラブ２において束柱４の位置に対応する位置に複数設けられている。スラブ開口３は、例えば長方形状又は正方形状の貫通孔である。養生蓋１は、複数設けられたスラブ開口３のそれぞれに設置される。
【００１９】
束柱４は、屋上スラブ２の下方に延びる既存梁５から立設され、Ｚ方向に延在して屋上スラブ２から突出する四角柱状の部材である。束柱４の上端部では、新設鉄骨６が接続され、屋上階の上方に新設される構造物の土台の一部となる。束柱４の下端部では、例えば新設補強部７を介して既存柱８に接続されることもある。束柱４は、既存梁５に沿って複数設けられている。
【００２０】
図３は、実施形態に係る養生蓋を示す斜視図である。図４は、図３におけるIV-IV線に沿った断面図である。図５（ａ）は、図３におけるVa-Va線に沿った断面図である。図５（ｂ）は、図３におけるVb-Vb線に沿った断面図である。図２〜図５に示されるように、養生蓋１は、固定部材１０と、蓋部２０とを備える。
【００２１】
固定部材１０は、屋上スラブ２におけるスラブ開口３の軸周りに、スラブ開口３の全周にわたって固定されている。固定部材１０は、その各辺がスラブ開口３の各縁部よりも外周側へ離間してスラブ開口３の各縁部に略平行に配置されている。スラブ開口３は、Ｚ方向から見て矩形環状を呈する。固定部材１０は、各辺が断面Ｌ字状のＬ字アングル材が用いられる。固定部材１０の材質は、例えば鉄が用いられる。固定部材１０は、第１板部１１及び第２板部１２を有する。
【００２２】
第１板部１１は、Ｌ字アングル材の一方の面である。第１板部１１は、Ｚ方向から見て第２板部１２から外周側へ向かって広がるように、屋上スラブ２に沿って（ＸＹ平面に沿って）配置される。第１板部１１には、固定部材１０の延在方向に沿って複数のボルト用孔１３が設けられている。ボルト用孔１３には、アンカーボルト１４が挿通される。アンカーボルト１４は、下端部が屋上スラブ２に埋設され、上端側が屋上スラブ２から突設されたボルトである。アンカーボルト１４は、固定部材１０に沿って複数設けられている。固定部材１０は、アンカーボルト１４にナット１５が螺合されて固定される。アンカーボルト１４及びナット１５には、止水のためのシール材が塗布されていてもよい。
【００２３】
固定部材１０は、第１板部１１と屋上スラブ２との間にシール部材（シール部）Ｓ及びライナ１６を介在させて、屋上スラブ２に固定されている。シール部材Ｓは、屋上スラブ２に沿って流れる雨水等がスラブ開口３側に浸入することを抑制する止水部材である。シール部材Ｓとしては、例えばシリコーンゴム系等の充填剤等を用いることができる。ライナ１６は、第１板部１１と屋上スラブ２との間に所定の隙間を設けるためのスペーサーである。ライナ１６には、アンカーボルト１４に対応する位置にボルト用孔１３が設けられている。シール部材Ｓ及びライナ１６は、第１板部１１に沿って、屋上スラブ２におけるスラブ開口３の軸周りに連続して設けられる。
【００２４】
第２板部１２は、Ｌ字アングル材の他方の面であり、屋上スラブ２に略直交する面に沿って配置される。第２板部１２には、複数の載置部１８が設けられている。載置部１８は、第２板部１２を基端としてＸＹ平面に沿って突出して設けられた部材である。載置部１８は、側壁部２１を第２係止部１９により係止する際に蓋部２０（側壁部２１及び天蓋部２２）が載置されることで、蓋部２０の重量を支持する。また、載置部１８は、後述の第２係止部１９の係止を行い易い位置となるように配置されており、側壁部２１を第２係止部１９により係止する際に側壁部２１の位置を調整する。このようにして、側壁部２１は、載置部１８に載置された状態で第２係止部１９によって固定部材１０に対して取り付けられる。
【００２５】
第２板部１２には、複数の第２係止部１９が設けられている。第２係止部１９は、側壁部２１を固定部材１０に対して脱着可能に取り付ける。第２係止部１９としては、例えばキャッチクリップが用いられる。第２係止部１９は、操作レバーを含む可動フックと固定フックとを有する。第２係止部１９は、操作レバーにより可動フックを固定フックに引っ掛けることで係止される。第２係止部１９は、操作レバーにより可動フックを固定フックから外すことで係止が外される。可動フック及び固定フックは、何れか一方が固定部材１０に設けられ、他方が側壁部２１に設けられている。ここでは、固定フックが第２板部１２の上端部に設けられ、可動フックが側壁部２１の下端部に設けられている。このように、側壁部２１は、固定部材１０に対して脱着可能に取り付けられている。よって、例えば側壁部２１の高さが異なる複数の蓋部２０を用意し、一つの固定部材１０に対して異なる蓋部２０を互いに取り換えて用いることができる。
【００２６】
蓋部２０は、スラブ開口３を覆う部材である。蓋部２０は、固定部材１０に対して脱着可能に取り付けられている。養生蓋１においては、少なくとも蓋部２０が固定部材１０に対して外されることにより、固定部材１０を脱着することなくスラブ開口３を露出させることが可能とされている。よって、シール部材Ｓと屋上スラブ２の上面との密着性が低下することが回避される。
【００２７】
蓋部２０は、側壁部２１と、天蓋部２２とを有する。側壁部２１は、板部２１ａ〜板部２１ｄを有する。側壁部２１は、板部２１ａ〜板部２１ｄによって矩形管状に形成されている。板部２１ａ〜板部２１ｄの材質としては、例えば亜鉛鋼板が用いられる。側壁部２１は、載置部１８に載置された状態で固定部材１０から立設される。側壁部２１は、下端側において折曲部２１ｅを有する。折曲部２１ｅは、側壁部２１を固定部材１０から立設させる際に載置部１８に当接される部位である。折曲部２１ｅは、例えば、側壁部２１の下端側を折り曲げることで側壁部２１の下端側の辺縁を基端としてＸＹ平面に沿って突出するように設けられている。側壁部２１は、固定部材１０の第２板部１２において載置部１８が設けられた高さから所定高さで立設される。すなわち、側壁部２１は、下端側において固定部材１０から所定高さで立設されている。所定高さとしては、例えば束柱４と天蓋部２２との干渉を回避するため、束柱４の屋上スラブ２からの突出高さよりも大きい高さとすることができる。
【００２８】
側壁部２１では、板部２１ａ〜板部２１ｄの上端側の辺縁が開口部２３を形成する。開口部２３は、例えばスラブ開口３における作業の際、天蓋部２２を開閉することでスラブ開口３を露出させる開口である。側壁部２１では、上端側の辺縁にゴム部材２４が取り付けられている。ゴム部材２４は、側壁部２１と天蓋部２２との間における緩衝材である。また、ゴム部材２４は、例えば横殴りの雨水等が側壁部２１と天蓋部２２との間からスラブ開口３側に浸入することを抑制する止水部材である。
【００２９】
板部２１ｄの上端部には、ヒンジ部２５が複数設けられている。ヒンジ部２５は、当該ヒンジ部２５を軸として天蓋部２２を回動可能（開閉可能）に軸支する蝶番である。ヒンジ部２５は、天蓋部２２のＸ方向一端側の辺縁に連結されている。板部２１ｃの上端部には、複数の第１係止部２６が土台２７を介して設けられている。第１係止部２６としては、例えばキャッチクリップが用いられる。第１係止部２６は、第２係止部１９と同様に構成されている。第１係止部２６の可動フック及び固定フックは、何れか一方が側壁部２１側に設けられ、他方が天蓋部２２に設けられている。ここでは、固定フックが土台２７を介して側壁部２１の上端部に設けられている。
【００３０】
天蓋部２２は、開口部２３を覆うように設けられている。天蓋部２２は、上述のヒンジ部２５及び第１係止部２６によって側壁部２１の上端側において開口部２３を開閉可能に設けられている。天蓋部２２は、天板と枠部とを有する。天板は、天蓋部２２が開口部２３を塞いだ状態において屋上スラブ２に略平行に延びる矩形の板状部材である。枠部は、天蓋部２２が開口部２３を塞いだ状態において天板の四方の縁部から下方に延びる板状部材である。天蓋部２２では、Ｘ方向他端側の枠部の下端に第１係止部２６の可動フックが設けられる。このように、天蓋部２２では、第１係止部２６によって係止されることで強風等により開いてしまうことが抑制される。
【００３１】
天蓋部２２は、天板に設けられた窓部２８を含む。窓部２８は、養生蓋１の内部状況を確認するための透明な板部材である。窓部２８としては、例えばアクリル板、ポリカーボネイト板、ガラス板等を用いることができる。
【００３２】
次に、養生蓋１を用いた養生方法の一例について説明する。養生蓋１の設置に際し、屋上スラブ２にはスラブ開口３が設けられているものとする。
【００３３】
まず、屋上スラブ２におけるスラブ開口３の軸周りにアンカーボルト１４が設けられる。アンカーボルト１４は、スラブ開口３の各縁部よりも外周側へ離間してスラブ開口３の各縁部に略平行となるように配置される。アンカーボルト１４は、スラブ開口３の全周にわたって、ボルト用孔１３及びボルト用孔１７に対応する位置及び離間距離で、屋上スラブ２に設けられる。
【００３４】
続いて、アンカーボルト１４のそれぞれがボルト用孔１７に挿通されるようにして、ライナ１６が屋上スラブ２に載置される。アンカーボルト１４のそれぞれがボルト用孔１７に挿通されるようにして、固定部材１０の第１板部１１がライナ１６に載置される。続いて、ナット１５により固定部材１０が屋上スラブ２に固定される。そして、第１板部１１と屋上スラブ２との間にシール部材Ｓが充填される。これにより、固定部材１０と屋上スラブ２との間にシール部材Ｓが介在された状態となる。
【００３５】
続いて、固定部材１０の第２板部１２の上端に載置部１８及び第２係止部１９の固定フックが取り付けられる。板部２１ｃ及び板部２１ｄの下端に第２係止部１９の可動フックが取り付けられる。そして、スラブ開口３を覆うように固定部材１０に対して脱着可能に蓋部２０が取り付けられる。具体的には、載置部１８に折曲部２１ｅが載置され、固定部材１０の第２板部１２において載置部１８が設けられた高さから所定高さで側壁部２１が立設される。すなわち、側壁部２１が下端側において固定部材１０から所定高さで立設される。そして、折曲部２１ｅを載置部１８に載置した状態で第２係止部１９が係止され、固定部材１０に側壁部２１（板部２１ａ〜板部２１ｄ）が取り付けられる。開口部２３にゴム部材２４が取り付けられる。
【００３６】
続いて、板部２１ｄの上端部にヒンジ部２５が取り付けられ、板部２１ｃの上端部に第１係止部２６の固定フックが土台２７を介して取り付けられる。Ｘ方向他端側の天蓋部２２の枠部の下端に第１係止部２６の可動フックが取り付けられる。そして、続いて、天蓋部２２の一端側をヒンジ部２５に連結し、天蓋部２２の他端側が第１係止部２６によって係止されることで、開口部２３を開閉可能に天蓋部２２が取り付けられる。
【００３７】
その後、例えば束柱４及び新設補強部７が設けられるまでの間（図２参照）、天蓋部２２を開いてスラブ開口３を露出させた状態で開口部２３を介して作業が行われると共に、天蓋部２２を閉じて開口部２３を塞いだ状態で養生され、スラブ開口３側への浸水が抑制される。そして、束柱４及び新設補強部７が設けられた後、屋上スラブ２と一体となるようにスラブ開口３にコンクリートが打設される。よって、スラブ開口３への浸水が生じないため、上記の順とは逆の順番で養生蓋１が解体され、養生蓋１が撤去される。その後、新設鉄骨６が束柱４に接続される（図２参照）。
【００３８】
以上のように構成された養生蓋１の構造によれば、シール部材Ｓが屋上スラブ２と固定部材１０との間に介在するため、水等が屋上スラブ２と固定部材１０との間を通ってスラブ開口３に浸入することが抑制される。そして、蓋部２０が固定部材１０に対して脱着可能に取り付けられているため、スラブ開口３を露出させるためには、蓋部２０を固定部材から取り外せばよく、固定部材１０を屋上スラブ２から取り外す必要がない。よって、シール部材Ｓと屋上スラブ２の上面との密着性が低下することを回避できる。その結果、水密性の低下を抑制し、シール部材Ｓの再施工を不要とすることが可能となる。
【００３９】
また、蓋部２０は、上端側の辺縁が開口部２３を形成する側壁部２１と、開口部２３を覆うように設けられた天蓋部２２と、を有する。側壁部２１は、固定部材１０に対して脱着可能に取り付けられ、天蓋部２２は、側壁部２１の上端側において開口部２３を開閉可能に設けられている。これにより、例えばスラブ開口３における作業の際、天蓋部２２を開くことで開口部２３を介して容易に作業を行うことができる。なお、天蓋部２２を開くことで屋上スラブ２の下方（下階）と連通するため、例えば下階における作業時の換気孔としてスラブ開口３を用いることができる。
【００４０】
なお、側壁部２１は、束柱４の屋上スラブ２からの突出高さよりも大きい所定高さで、固定部材１０から立設されている。これにより、例えば屋上スラブ２からの高さが所定高さ未満で、束柱４がスラブ開口３から突出していたとしても、束柱４と天蓋部２２との干渉を回避することができる。
【００４１】
また、側壁部２１の上端側には、ヒンジ部２５及び第１係止部２６が設けられており、天蓋部２２は、ヒンジ部２５及び第１係止部２６によって開口部を開閉可能に設けられている。これにより、第１係止部２６の係止を外すことでヒンジ部２５を支点として天蓋部２２を容易に開閉することができる。また、第１係止部２６を係止させることで天蓋部２２が強風等により開いてしまうことを抑制できる。
【００４２】
また、固定部材１０には、第２係止部１９が設けられており、側壁部２１は、第２係止部１９によって固定部材１０に対して脱着可能に取り付けられている。これにより、第２係止部１９を係止させることで蓋部２０を固定部材１０に容易に取り付けることができる。また、第２係止部１９の係止を外すことで蓋部２０を固定部材１０から容易に取り外すことができる。
【００４３】
また、固定部材１０には、側壁部２１の折曲部２１ｅが載置される載置部１８が設けられている。側壁部２１は、載置部１８に載置された状態で第２係止部１９によって固定部材１０に対して取り付けられる。これにより、側壁部２１が載置部１８に載置された状態において蓋部２０の重量が載置部１８によって支持される。よって、蓋部２０を固定部材１０に対して脱着する作業が一層容易となる。
【００４４】
また、天蓋部２２は、窓部２８を含む。これにより、例えば養生蓋１の内部状況を確認する際、蓋部２０を固定部材から取り外す手間、及び天蓋部２２を開閉する手間を省くことができる。
【００４５】
また、本実施形態に係る養生方法によれば、シール部材Ｓを屋上スラブ２と固定部材１０との間に介在させ、蓋部２０を固定部材１０に対して脱着可能に取り付ける。これにより、例えばスラブ開口３における作業の際、スラブ開口３を露出させるためには、蓋部２０を固定部材１０から取り外せばよく、固定部材１０を屋上スラブ２から取り外す必要がない。よって、シール部材Ｓと屋上スラブ２の上面との密着性が低下することを回避できる。その結果、水密性の低下を抑制し、シール部材Ｓの再施工を不要とすることが可能となる。
【００４６】
以上、本発明に係る好適な実施形態について説明したが、本発明は、上記実施形態に限られるものではなく、各請求項に記載した要旨を変更しない範囲で変形し、又は他のものに適用してもよい。
【００４７】
上記実施形態では、蓋部２０が別体の側壁部２１及び天蓋部２２により構成されていたが、蓋部２０が一体に構成されていてもよい。また、側壁部２１に代えて、固定部材１０の第２板部１２が所定高さで立設され、第２板部１２の上端側にヒンジ部２５及び第１係止部２６が設けられて、天蓋部２２が第２板部１２の上端側において開口部２３を開閉可能に設けられていてもよい。要は、蓋部２０は、スラブ開口３を覆うものであり、固定部材１０に対して脱着可能に取り付けられていればよい。
【００４８】
上記実施形態では、窓部２８が天蓋部２２に設けられていたが、窓部２８が側壁部２１に設けられていてもよい。また、側壁部２１及び天蓋部２２の何れにも窓部２８が設けられていなくてもよい。
【符号の説明】
【００４９】
１…養生蓋、２…屋上スラブ（スラブ）、３…スラブ開口（貫通孔）、１０…固定部材、１８…載置部、１９…第２係止部、２０…蓋部、２１…側壁部、２２…天蓋部、２３…開口部、２５…ヒンジ部、２６…第１係止部、２８…窓部、Ｓ…シール部材。
【図１】
0006649698.tif 000002
【図２】
0006649698.tif 000003
【図３】
0006649698.tif 000004
【図４】
0006649698.tif 000005
【図５】
0006649698.tif 000006